(57)【要約】【課題】ケトルの内容器を自在に取り外せ、内容器の着脱位置を意識せずに自由に着脱が行える電気ケトルを提供する。【解決手段】  上方が開口し所定量の液体を収容する内容器を備えたケトル本体と、前記ケトル本体に収容された液体を加熱する加熱手段と、前記ケトル本体の前記開口を覆う開閉自在な蓋体と、前記加熱手段を制御する制御手段とを設けた電気ケトルにおいて、前記内容器は前記ケトル本体の内側に着脱自在であり、前記ケトル本体の側壁から出没自在な保持爪により前記内容器を保持する。【選択図】  図５
2011092258.tif 000002
【特許請求の範囲】
【請求項１】
上方が開口し所定量の液体を収容する内容器を備えたケトル本体と、前記ケトル本体に収容された液体を加熱する加熱手段と、前記ケトル本体の前記開口を覆う開閉自在な蓋体と、前記加熱手段を制御する制御手段とを設けた電気ケトルにおいて、
前記内容器は前記ケトル本体の内側に着脱自在であり、
前記ケトル本体の側壁から出没自在な保持爪により前記内容器を保持することを特徴とする電気ケトル。
【発明の詳細な説明】
【技術分野】
【０００１】
本発明は、主として一般家庭で使用される電気ケトルに関する。
【背景技術】
【０００２】
従来より、一般家庭でお湯を沸かすことができるように電気ポットが開発されている。
【０００３】
また手軽にお湯を沸かす際には、使用する分量だけ湯を沸かす電子機器として電気ケトルが使用される。このように、電気ポット、電気ケトルともに、水等の液体を溜め込んで沸騰することを可能とする。
【０００４】
このような水等の液体を溜め込んで沸騰する電子機器としては、例えば、引用文献１のような電気ポットがある。この電気ポットは、電気ポットの内側に着脱可能な内容器を備え、ハンドルの付いた内容器を外部へ取り出し、内容器を傾けて内容器に貯まった内溶液を排出することが開示されている。
【先行技術文献】
【特許文献】
【０００５】
【特許文献１】特許３２２９６２２号公報
【発明の概要】
【発明が解決しようとする課題】
【０００６】
しかしながら、このような電気ポットを用いて電気ポット内の内溶液を排出する際は、電気ポットを傾けた際に電気ポットの外装本体から内容器が外れ、床や地面に内容器が落下する虞があり、内容器の破損を招きかねず危険である。
【０００７】
そこで、上記事情を鑑み、本発明では、所定量の液体を収容する電気ケトルにおいて、電気ケトル本体から内容器の着脱を自在とし、内容器とケトル本体の取り付けをスムーズに行え、その内容器はケトル本体内で固定する電気ケトルを提供することを目的とする。
【課題を解決するための手段】
【０００８】
上記目的を達成するために、請求項１に記載の電気ケトルは、上方が開口し所定量の液体を収容する内容器を備えたケトル本体と、前記ケトル本体に収容された液体を加熱する加熱手段と、前記ケトル本体の前記開口を覆う開閉自在な蓋体と、前記加熱手段を制御する制御手段とを設けた電気ケトルにおいて、前記内容器は前記ケトル本体の内側に着脱自在であり、前記ケトル本体の側壁から出没自在な保持爪により前記内容器を保持することを特徴とする。
【発明の効果】
【０００９】
本発明の電気ケトルによれば、以下のような優れた効果を奏する。
【００１０】
請求項１の発明によれば、内容器をケトル本体より装着したり取外しすることが出来るので、内容器およびケトル本体の内側も容易に洗浄が可能になる。また、内容器をケトル本体に装着時には、ケトル本体の内側より出没自在な保持爪によって確実に内容器をケトル本体内に確実に固定することが出来る。これにより、蓋体を取り外した電気ケトルにおいて、電気ケトルを逆さまに傾けたとしても内容器がケトル本体から取り外れることなく、ケトル本体内に貯まった液体をケトル本体外部へ安全に排出可能である。
【図面の簡単な説明】
【００１１】
【図１】本発明の実施形態における電気ケトルの側面図
【図２】本発明の実施形態における電気ケトルの正面図（図２Ａ）と背面図（図２Ｂ）
【図３】本発明の実施形態における電気ケトルの蓋を装着した上面図（図３Ａ）と蓋の断面図（図３Ｂ）
【図４】本発明の実施形態における電気ケトルの蓋を取り外したケトル本体の上面図
【図５】本発明の実施形態における電気ケトルの図１におけるＡ―Ａ線の断面図
【発明を実施するための形態】
【００１２】
以下、図面を参照して本発明の最良の実施形態を説明する。但し、以下に示す実施形態は、本発明の技術思想を具体化するための電気ケトルを例示するものであって、本発明をこの電気ケトルに特定することを意図するものではなく、特許請求の範囲に含まれるその他の実施形態のものも等しく適応し得るものである。
【００１３】
まず、本発明の実施形態における電気ケトル１の全体構成について説明する。
【００１４】
電気ケトル１は、図１に示すように、耐熱性を有する樹脂成型体で形成されており所定量の水などの液体が収容されるケトル本体２と、このケトル本体２の上方を覆う取外し自在な蓋体３と、ケトル本体２が載置される基台４とを有し、ケトル本体２の側壁部に半楕円リング型の取っ手ハンドル５、ケトル本体に通電を行う電源スイッチ７、ケトル本体２に収容された液体の注水を行う注水口６、を備えている。
【００１５】
基台４は、商用電源からの電力を後述する基台の電気コネクタを通じてケトル本体２へ供給する。なおケトル本体２と基台４は、一体のものを用いることも出来る。
【００１６】
電気ケトル１は、図２Ａの正面図に示すように、ケトル本体２、蓋体３、基台４、注水口６が設けてあり、ケトル本体２内で沸いた液体は、注水口６から外部の容器に注ぐことが出来る。
【００１７】
また電気ケトル１は、図２Ｂの背面図に示すように、取っ手ハンドル５の上方に通電のオン・オフを行う電源スイッチ７を備えており、使用者が取っ手ハンドル５を掴んだ際に使用者の親指近傍位置になるように配設されている。この位置に電源スイッチ７を備えることで、使用者は親指の押下だけで電気ケトルへの通電を容易に行える。
【００１８】
電気ケトル１を上部方向から見ると図３Ａに示すようになる。
【００１９】
電気ケトル１の上側には、蓋体３を備えており、蓋体３には中央部付近に操作ボタン８と、ケトル本体内で発生した蒸気が排出される蒸気出口１１、取っ手ハンドル５の蓋体３近傍に内容器を保持するロックボタン１２を備える。
【００２０】
注水口６の注ぎ口は、広く、丸みを帯びるようにＵ字型になっており、例えば、お湯をカップ等に注ぐことも簡単に行える。
【００２１】
また蓋体３は、図３Ｂの上方からの断面図に示すように、蓋体３をケトル本体２に係止するための係止爪９、ケトル本体２には蓋体３を装着した際に係止爪９が嵌合される箇所となる係止部１０、操作ボタン８と接続されたスプリング１５、スプリング１５と接続されたリンク部材１６が配設されている。
【００２２】
蓋体３をケトル本体２へ装着する際は、図３Ｂの断面図に示すように、操作ボタン８を両側から摘むように押さえることによって操作ボタン８と接続されたスプリング１５が縮む。続いてスプリング１５と一端が接続されたリンク部材１６と他端で接続された係止爪９を係止部１０に係止されるようにした後に、操作ボタン８の押圧を停止して、係止爪９を係止部１０に係止させる。具体的には、操作ボタン８を両側から摘むように押さえることによってリンク部材１６は一旦Ｙ２方向に移動し、その後、操作ボタン８を放すことでスプリング１５は伸び、リンク部材１６はＹ１方向に移動して、係止爪９を係止部１０に係止することが可能となる。
【００２３】
また、ケトル本体２に装着した蓋体３をケトル本体２から取り外す際は、操作ボタン８を両側から摘むように押さえることで片手で簡単に蓋体３を取り外せる。具体的には、蓋体３の中央に位置する操作ボタン８を両側から摘むように押さえると、スプリング１５が縮み、リンク部材１６がＹ２方向に移動する。蓋体３の側面より蓋体３の側壁に配設された係止爪９が蓋体３の内部に収納され、係止爪９との係合が解除されることにより、ケトル本体２から蓋体３を取り外すことが可能となる。
【００２４】
蓋体３をケトル本体２より取り外し上方から眺めると図４のようになる。電気ケトル１は、ケトル本体２、取っ手ハンドル５、電源スイッチ７、ロックボタン１２、ロックボタン１２をスライド操作することでケトル本体２の内側より出没される保持爪１３、ケトル本体２の内側には内容器１４を備える。内容器１４はケトル本体２から取り出して丸洗いすることも可能であり、丸洗いした内容器は食器乾燥器等に入れて乾かすことも出来、衛生的である。
【００２５】
図４ではロックボタン１２はＸ２方向にスライドされており、内容器１４は保持爪１３によってケトル本体２の上縁部２３と密着されて揺動しないようロックされた状態である。
【００２６】
次に、図１に示した電気ケトル１におけるＡ―Ａ線の断面図である図５を説明する。
【００２７】
電気ケトル１は、ケトル本体２、蓋体３、基台４、ケトル本体２の側壁部に取り付けれた取っ手ハンドル５、ケトル本体２に収容された液体の注水を行う注水口６、ケトル本体に通電を行う電源スイッチ７、取っ手ハンドル５の上部に位置するロックボタン１２、ロックボタン１２と一体でありロックボタン１２の先端に位置する保持爪１３、ケトル本体２の内部には内容器１４、蓋体３に取り付けられたスプリング１５、電源スイッチ７のオンと同時に通電される加熱ヒータ板（以下、加熱ヒータ）１７、電気コネクタ２１、基台に設けた基台の電気コネクタ２２、加熱された水がケトル本体２の内部で蒸発された後に蒸気の温度を検知する温度センサ１８、温度センサ１８の検出値を入力して加熱ヒータ板を制御するマイコン基板からなる制御手段１９、蒸気が外部へ排出される際に蒸気の流路となる蒸気通路２０、蒸気出口１１を備える。ケトル本体２の内部で発生した蒸気は、図５に点線で示す流路を辿る。発生した蒸気は、蒸気通路２０を流れ、温度センサ１８へ向かって流れる。さらに蒸気は、蒸気出口１１よりケトル本体２の外部へ排出される。
【００２８】
加熱ヒータ１７は、所定の厚さを有するステンレス製板にシーズヒータ（図示省略）が装着されたものとなっている。このシーズヒータは電気コネクタ２１に接続されている。電気コネクタ２１は、ケトル本体２が基台４上に載置されたときに、基台４に設けた基台の電気コネクタ２２に接続されるようになっている。
【００２９】
内容器１４が保持爪１３により保持される動作について図４、図５を参照して説明する。
【００３０】
取っ手ハンドル５の上部に位置するロックボタン１２をＸ２方向にスライドさせると、ロックボタン１２の先端に位置する保持爪１３がケトル本体２内部より突出し、保持爪１３は内容器１４の上縁部２３に密接される。この状態において保持爪１３によって内容器１４はケトル本体２に確実に固定されるので、例えば、蓋体３、基台４から取り外した状態でケトル本体２を逆さまに傾けたとしても、内容器１４がケトル本体２から取り外れることなく、ケトル本体２内に貯まった水等をケトル本体２外部へ排出可能である。
【００３１】
またロックボタン１２をＸ１方向にスライドさせると、保持爪１３は図５の点線部分に移動する。この状態において保持爪１３は内容器１４と接する部分がなくなるので、内容器１４をケトル本体２から取り外す際は、スムーズな取り外しが可能となる。
【００３２】
このようにして内容器１４はケトル本体２より着脱を容易に行える。また内容器１４はセラミック製の素材からなり、熱伝導と蓄熱効果に優れている。内容器１４は、ケトル本体２内側より外部へ水漏れを生じることはなく、内容器に入れた液体は長時間冷めにくいので、省エネルギー化を図れるばかりか、熱に強い素材であるので、例え空焚きをしても火災等が発生する危険性は少なく、安全面においても優れている。
【００３３】
次に、電気ケトル１の使用方法について説明する。
【００３４】
まず蓋体３を取り外した状態でケトル本体２内の上部が開口された状態にしておき、内容器１４に水等の液体を注ぎ貯める。次いで、蓋体３をケトル本体２に装着をして、このケトル本体２を基台４に載置固定する。この状態で電源スイッチ７をオンする。この電源スイッチ７のオンにより、加熱ヒータ１７への通電が開始され、ケトル本体２内の水が加熱される。水が加熱されると、水が蒸発して、温度センサ１８は、この蒸気温度を検知して、この検知出力が制御手段１９に送られる。この制御手段１９には、メモリに基準値が記憶されており、この基準値と検知温度とを比較して、検知温度が基準値に達しているときは、加熱ヒータ１７への通電を停止する。ケトル本体２内で発生した蒸気は、蒸気通路２０、蒸気出口１１を流れて電気ケトル１の外部へ排出される。
【００３５】
また、この実施形態では、加熱ヒータに加熱ヒータ板を使用したが、加熱ヒータはこれに限定されるものでなく、電磁誘導コイルを用いてもよい。この電磁誘導コイルを使用する場合は、ケトル本体の底部をステンレス板を貼り合せたグラッド材で形成し、コイルは基台側に設ける。この電磁誘導コイルを使用することにより、ケトル本体と加熱ヒータとの電気的接続が不要になり、安全性が向上する。
【００３６】
このように、本発明の電気ケトルは、内容器とケトル本体の着脱を自在に行えることから、内容器の丸洗い洗浄が容易となり衛生的である。また内容器は、セラミック製の素材からなるため熱伝導性に優れているため内容器に入った液体の素早い沸き上がりを可能とし、蓄熱性にも優れているので、通電時の省電力化に大いに貢献するものである。
【産業上の利用可能性】
【００３７】
本発明は、主として一般家庭で使用される電気ケトルに広く利用可能である。
【符号の説明】
【００３８】
１・・・電気ケトル
２・・・ケトル本体
３・・・蓋体
４・・・基台
５・・・取っ手ハンドル
６・・・注水口
７・・・電源スイッチ
８・・・操作ボタン
９・・・係止爪
１０・・係止部
１１・・蒸気出口
１２・・ロックボタン
１３・・保持爪
１４・・内容器
１５・・スプリング
１６・・リンク部材
１７・・加熱ヒータ板（加熱ヒータ）
１８・・温度センサ
１９・・制御手段
２０・・蒸気通路
２１・・電気コネクタ
２２・・基台の電気コネクタ
２３・・上縁部
【図１】
2011092258.tif 000003
【図２】
2011092258.tif 000004
【図３】
2011092258.tif 000005
【図４】
2011092258.tif 000006
【図５】
2011092258.tif 000007